(57)【要約】【課題】  施設の検索結果からユーザーの好みに応じて施設を容易に選択することができる「電子装置」を提供する。【解決手段】  施設検索機能を備えたナビゲーション装置は、入力された条件に基づき該当する施設を検索する検索手段を含み、道路地図画面３００上に、検索結果を表したアイコン３１０〜３１６を表示する。アイコン３１０〜３１６は、地図の縮尺と当該縮尺において表示可能な検索された施設件数とを表している。ユーザーによりアイコン３１０〜３１６のいずれかが選択されると、道路地図データは、選択されたアイコンの縮尺に変更され、かつ道路地図データ上にはその縮尺に対応する施設件数の施設アイコン３４０が表示される。【選択図】    図６
2014032013.tif 000002
【特許請求の範囲】
【請求項１】
施設検索機能を備えた電子装置であって、
入力された条件に基づき該当する施設を検索する検索手段と、
道路地図データを表示可能な表示手段と、
前記道路地図データ上に、前記検索手段の検索結果情報を表示する検索結果情報表示手段と、
前記検索結果情報に関連したユーザー入力に基づき表示手段を制御する表示制御手段とを有し、
前記検索結果情報は、地図の縮尺と、当該地図の縮尺で表示可能な検索された施設件数とを表した複数のアイコン情報を含む、電子装置。
【請求項２】
前記複数のアイコン情報のいずれかがユーザーによって選択されたとき、前記表示制御手段は、選択されたアイコン情報に表された縮尺で道路地図データを表示させるとともに、選択されたアイコン情報に表された施設件数に対応する施設アイコンを道路地図データ上に表示させる、請求項１に記載の電子装置。
【請求項３】
前記表示制御手段はさらに、前記施設アイコンがユーザーにより第１の期間で選択されたとき、選択された施設に関連する詳細情報を道路地図データ上に表示させる、請求項２に記載の電子装置。
【請求項４】
電子装置はさらに、前記施設アイコンがユーザー入力により第１の期間と異なる第２の期間で選択されたとき、選択された施設を目的地に設定する手段を含む、請求項３に記載の電子装置。
【請求項５】
前記表示制御手段はさらに、前記施設アイコンが選択されたとき、選択された施設に関連するメニュー画面を道路地図データ上に表示させる、請求項２に記載の電子装置。
【請求項６】
電子装置はさらに、前記メニュー画面から選択された処理を実行する手段を含む、請求項５に記載の電子装置。
【請求項７】
前記表示制御手段は、ユーザーによりリスト表示のボタンが選択されたとき、選択されたアイコン情報の縮尺に対応する施設件数の施設名称が示されたリスト画面を表示させる、請求項１ないし６いずれか１つに記載の電子装置。
【発明の詳細な説明】
【技術分野】
【０００１】
本発明は、施設を検索する機能を備えた電子装置に関し、特に、ナビゲーション装置における検索された施設の表示方法に関する。
【背景技術】
【０００２】
ナビゲーション装置には、予め用意された施設データベースを利用して、施設等を検索する機能が搭載されている。検索方法には、例えば、選択されたジャンルの施設を検索するジャンル検索、自車位置周辺の施設を検索する周辺施設検索、電話番号から施設を検索する電話番号検索、名称またはキーワードなどから施設を検索する名称検索などがある。検索結果は、道路地図上にアイコンとして表示されたり、施設の名称等をリストとして表示されることで、ユーザーは、検索結果から所望の施設を選択し、これを目的地や経由地に設定することができる。
【０００３】
周辺施設検索を行った場合、自車位置から一定範囲内の施設が検索されるが、検索された施設までの所要時間が分からないと、ユーザーは、当該施設まで移動できるか否かの判断することができない。このような問題を解消するため、特許文献１では、基準地点から所要時間で到達可能なエリアを特定し、特定したエリア内にある施設の件数を算出し、特定したエリアおよび算出した施設件数を表示するナビゲーション装置を開示している。
【先行技術文献】
【特許文献】
【０００４】
【特許文献１】特開２０１１−２３７２８６号公報
【発明の概要】
【発明が解決しようとする課題】
【０００５】
図１は、周辺施設検索において、「コンビニエンスストア」のジャンルを選択したときの検索結果の例である。図１（Ａ）は、自車位置周辺の地図データ２上に、検索された施設のアイコン４（図面では、矩形表示）が合成して表示された地図画面６を示している。リストボタン８をユーザーが選択する、地図画面６は、図１（Ｂ）のようなリスト画面１０に切り替わる。リスト画面１０には、自車位置から近い順に検索された施設の名称がリスト状に表示される。施設の名称には、自車位置からの距離も併せて表示される。検索された施設数が多い場合には、画面左側のスクロールキー１２により、表示されていない施設を表示させることができる。また、リスト画面１０において、施設に対応するボックス１４を選択すると、リスト画面１０の右側に、選択された施設を含む地図画面１６が表示される。リスト画面１０の戻るボタン１８を選択すると、図１（Ａ）の地図画面６に切り替わる。
【０００６】
ユーザーからしてみると、図１（Ｂ）のように自車位置から近い順に施設が表示されても、どれを選択すればよいのか今ひとつよく分からない。また、地図画面６を表示させた場合、リスト画面１０に表示された施設の数と、地図画面６に表示された施設のアイコン４の数は必ずしも一致せず、表示エリア内に何件の施設があるかも分からない。このため、周辺施設検索の結果を表す表示画面からは、本当に行きたい施設を選択するのが困難であり、結果的に、周辺施設検索が使いづらいものになってしまっている。
【０００７】
本発明は、このような従来の課題を解決するものであり、施設の検索結果からユーザーの好みに応じて施設を容易に選択することができる電子装置を提供することを目的とする。
【課題を解決するための手段】
【０００８】
本発明に係る電子装置は、施設検索機能を備えたものであって、入力された条件に基づき該当する施設を検索する検索手段と、道路地図データを表示可能な表示手段と、前記道路地図データ上に、前記検索手段の検索結果情報を表示する検索結果情報表示手段と、前記検索結果情報に関連したユーザー入力に基づき表示手段を制御する表示制御手段とを有し、前記検索結果情報は、地図の縮尺と、当該地図の縮尺で表示可能な検索された施設件数とを表した複数のアイコン情報を含む。
【０００９】
好ましくは前記複数のアイコン情報のいずれかがユーザーによって選択されたとき、前記表示制御手段は、選択されたアイコン情報に表された縮尺で道路地図データを表示させるとともに、選択されたアイコン情報に表された施設件数に対応する施設アイコンを道路地図データ上に表示させる。好ましくは前記表示制御手段はさらに、前記施設アイコンがユーザーにより第１の期間で選択されたとき、選択された施設に関連する詳細情報を道路地図データ上に表示させる。好ましくは電子装置はさらに、前記施設アイコンがユーザー入力により第１の期間と異なる第２の期間で選択されたとき、選択された施設を目的地に設定する手段を含む。好ましくは前記表示制御手段はさらに、前記施設アイコンが選択されたとき、選択された施設に関連するメニュー画面を道路地図データ上に表示させる。好ましくは電子装置はさらに、前記メニュー画面から選択された処理を実行する手段を含む。好ましくは前記表示制御手段は、ユーザーによりリスト表示のボタンが選択されたとき、選択されたアイコン情報の縮尺に対応する施設件数の施設名称が示されたリスト画面を表示させる。
【発明の効果】
【００１０】
本発明によれば、縮尺とその縮尺に対応する検索された施設件数を表示することで、ユーザーは、どの程度のエリアにどの程度の施設が存在するのかを把握することが可能になり、その結果、所望の施設を選択することが容易になる。
【図面の簡単な説明】
【００１１】
【図１】従来のナビゲーション装置の周辺施設検索時の課題を説明する図である。
【図２】本発明の実施例に係るナビゲーション装置の構成を示すブロック図である。
【図３】本発明の実施例に係る施設検索プログラムの機能的な構成を示すブロック図である。
【図４】縮尺対応件数算出部の算出結果の例を示す図である。
【図５】本発明の実施例に係る施設検索プログラムの動作を説明するフローチャートである。
【図６】図６（Ａ）は、周辺施設検索を行ったときの地図画面の例、図６（Ｂ）は、そのリスト画面の例である。
【図７】図７（Ａ）は、周辺施設検索を行ったときの地図画面の例、図７（Ｂ）は、そのリスト画面の例である。
【図８】本発明の第２の実施例による施設検索動作を説明するフローチャートである。
【図９】第２の実施例による吹き出し表記の表示例を示す図である。
【図１０】本発明の第３の実施例による施設検索動作を説明するフローチャートである。
【図１１】第３の実施例による吹き出し表記の表示例を示す図である。
【発明を実施するための形態】
【００１２】
次に、本発明の実施の形態について図面を参照して詳細に説明する。本発明の電子装置は、自動車等の移動体上に固定的に搭載されるもの、ユーザーによって移動体に持ち込むことができるもの、あるいは移動体から着脱自在のもののいずれであってもよい。本発明の電子装置は、ナビゲーション機能を搭載するが、これ以外の機能、例えばオーディオ・ビデオデータを再生する機能、テレビ・ラジオ放送を受信する機能、アプリケーションソフトウエアを実行する機能などを統合的に備えるものであってもよい。さらに本発明の電子装置は、それ自身がナビゲーション機能を実行するための道路地図データを記憶装置に蓄積するものであってもよいし、データ通信手段を介して配信サイトもしくは配信サーバーなどから必要な道路地図データを取得するものであってもよい。以下の説明では、電子装置の一例として、車両に搭載されたナビゲーション装置を例示する。
【実施例】
【００１３】
図２は、本発明の実施例に係るナビゲーション装置の構成を示すブロック図である。ナビゲーション装置１００は、自車位置情報を取得する位置情報取得部１０２、渋滞や交通規制などの道路交通情報を取得する交通情報取得部１０４、ユーザーからの入力を受け取るユーザー入力部１０６、外部と有線または無線によるデータ通信を可能にするデータ通信部１０８、ディスプレイに道路地図などを表示する表示部１１０、音声を出力する音声出力部１１２、記憶部１１４、外部機器との接続を可能にする外部インターフェース（Ｉ／Ｆ）１１６、各部を制御する制御部１１８を含んで構成される。ここに示される構成は一例であり、ナビゲーション装置は、必ずしもこのような構成に限定されない。
【００１４】
位置情報取得部１０２は、例えば、ＧＰＳ衛星１３６（図２（Ｂ）を参照）から送信される信号を利用して自車の絶対位置を検出するもの、ジャイロセンサや加速度センサなど車両に搭載された種々のセンサから自車の相対位置を検出するものであることができる。また、位置情報取得部１０２は、図２（Ｂ）に示すように、ネットワーク１２０を介して位置情報配信サイト（または配信サーバー）１３０にアクセスし、そこから自車位置情報を取得することもできる。この場合、ネットワーク１２０への接続は、データ通信部１０８を介して行われる。
【００１５】
交通情報取得部１０４は、例えば、ＦＭラジオ放送やその他の放送波に重畳された道路交通情報を取得したり、幹線道路や高速道路などの路側に設置されたアンテナから無線通信により道路交通情報を取得することができる。また、交通情報取得部１０４は、図２（Ｂ）に示すように、ネットワーク１２０を介して道路交通情報配信サイト（または配信サーバー）１３４にアクセスし、そこから道路交通情報を取得することもできる。この場合、ネットワーク１２０への接続は、データ通信部１０８を介して行われる。
【００１６】
ユーザー入力部１０６は、ユーザーとナビゲーション装置１００との間のインターフェースを提供する。ユーザー入力部１０６は、入力キーデバイス、タッチパネル、音声認識装置などを含むことができる。データ通信部１０８は、ＷｉＦｉ、ＬＡＮ、赤外線通信、電話回線などを利用した有線または無線によるデータ通信を可能にする。データ通信部１０８は、その機能がナビゲーション装置に内蔵されるものでもよいし、携帯電話やスマートフォンなどを外部接続しその通信機能を利用するものであってもよい。上記したように、データ通信部１０８は、図２（Ｂ）に示すようなネットワーク１２０を介して種々のデータ配信サイトに接続することを可能にする。
【００１７】
表示部１１０は、目的地までの誘導経路を案内するときに道路地図を表示したり、施設検索などが行われた時に検索結果を表示したり、ナビゲーション装置の各種設定をするためのメニュー画面などを表示する、タッチパネル対応のディスプレイ等を含む。音声出力部２２は、誘導経路の案内や各種の警告等を出力するスピーカ等を含む。
【００１８】
記憶部１１４は、ナビゲーション装置１００の動作に必要な道路地図データ等を格納することができる。一つの例では、記憶部１１４は、大容量の記憶装置を含み、ここに道路地図データや施設データなどのデータベースを蓄積することができる。他の例では、記憶部１１４は、図２（Ｂ）に示すようにネットワーク１２０を介して道路地図データ配信サイト１３２にアクセスし、そこから必要な道路地図データ等を取得することができる。この場合、ネットワーク１２０への接続は、データ通信部１０８を介して行われる。
【００１９】
制御部１１８は、好ましい態様では、ＲＯＭ、ＲＡＭなどを含むマイクロコントローラから構成され、ＲＯＭまたはＲＡＭは、ナビゲーション装置の各部の動作を制御するための種々のプログラムを格納することができる。プログラムは、例えば、目的地や経由地を検索するもの、目的地までの最適な経路を探索するもの、データベース等を利用して施設を検索するものなどが含まれる。
【００２０】
図３は、本実施例の施設検索プログラムの機能的な構成を示すブロック図である。施設検索プログラムは、ユーザーから入力された条件に合致する施設を検索し、この検索結果を表示する機能を含むものであり、例えば、ユーザー入力されたキーワードや名称などに合致する施設を検索したり、選択されたジャンルに該当する施設を検索したり、自車位置から一定の範囲内の施設を検索したりする。施設検索プログラムは、種々のシチュエーションにおいて実行可能であり、例えば、目的地や経由地を検索するとき、周辺施設を検索するときなどに実行される。
【００２１】
図３に示すように、施設検索プログラム２００は、ユーザー入力された条件に基づき施設データベースを利用して施設を検索する施設検索部２０２、検索された施設に関する必要な施設データを抽出する施設データ抽出部２０４、検索された施設の件数を算出する施設件数算出部２０６、道路地図画面の縮尺毎の施設件数を算出する縮尺対応件数算出部２０８、施設検索結果を表すアイコンを作成するアイコン作成部２１０、施設検索結果を表すリスト画面を作成するリスト画面作成部２１２、道路地図画面に表示される施設のアイコンを作成する施設アイコン作成部２１４、検索された施設に関する情報の吹き出し表記を作成する吹き出し表記作成部２１６、施設検索結果に対するユーザー入力を判定するユーザー入力判定部２１８、ユーザー入力等に応じて検索結果画面等を制御する検索結果画面制御部２２０を備える。但し、ここに示す機能は、施設検索プログラム２００の主なものであり、ここに示されない他の機能は、制御部１１８により実行されるものとする。
【００２２】
施設検索部２０２は、ユーザー入力された条件または指示に基づき施設データベースを参照して施設を検索する。施設データベースは、各施設についての名称、位置情報、カテゴリー（ジャンル）、住所、電話番号などを含み、さらに、施設の画像データ、施設をアイコン表示するときの情報、施設の口コミ情報、施設の特徴などの詳細な情報を含めることができる。ナビゲーション装置１００が施設データベースを記憶部１１４に備えている場合には、その施設データベースを利用して検索が行われる。また、道路地図データ配信サイト１３２が施設データベースを保持している場合には、当該配信サイト１３２の施設データベースを利用して施設の検索が行われる。
【００２３】
施設データ抽出部２０４は、検索された施設に関する施設データを抽出し、これを保持する。施設件数算出部２０６は、施設検索部２０２の検索結果から、検索された施設の件数を算出し、これを保持する。
【００２４】
縮尺対応件数算出部２０８は、施設件数算出部２０６で算出された施設件数をさらに、地図の縮尺で表示可能な施設件数に換算をする。ナビゲーション装置では、道路地図をディスプレイに表示するとき、その縮尺を可変することが可能であり、通常、狭域の縮尺から広域の縮尺まで複数段階の縮尺が用意されている。例えば、２５ｍ、５０ｍ、１００ｍ、２００ｍ、４００ｍ、８００ｍ、１Ｋｍなどである。仮に、２５ｍの縮尺が選択された場合には、ディスプレイの表示エリアには、自車位置等を基準として、縦方向または横方向がおおよそ２５ｍの範囲の地図が表示されることになる。縮尺対応件数算出部２０８は、検索された施設の位置情報と、縮尺によって決定される表示エリアの位置情報（例えば、表示エリアの各コーナーの座標から特定されるエリア）とを比較し、その縮尺によって表示可能な施設件数を算出する。この算出結果の例は、図４に示すようになる。
【００２５】
アイコン作成部２１０は、施設検索結果として縮尺対応件数算出部２０８で算出された結果を表すアイコンを作成する。言い換えれば、アイコン作成部２１０は、図４に示す算出結果に対応するアイコンを作成するものであり、１つのアイコンには、縮尺とその縮尺における施設件数が表される。アイコンの形状、大きさ等は特に限定されるものではなく、ディスプレイのサイズ等に応じて適宜設定される。作成されたアイコンは、後述するように道路地図データ上に合成して表示される。また、表示されたアイコンは、ユーザーインターフェースを提供し、すなわちタッチパネルまたはカーソルなどのユーザー入力により選択することが可能である。
【００２６】
リスト画面作成部２１２は、選択されている地図の縮尺に対応する施設の名称が示されたリスト画像を作成する。例えば、縮尺１００ｍが選択されているとき、縮尺１００で表示可能な施設に対応するリスト画像が作成される。リスト画面作成部２１２は、予めすべての縮尺に対応するリスト画面を作成してもよいし、ユーザーからリスト画面への切替の指示があったときにリスト画面を作成するようにしてもよい。
【００２７】
施設アイコン作成部２１４は、施設データ抽出部２０４に保持された施設データに基づき、道路地図データ上の所定位置に表示する施設アイコンを作成する。施設アイコン作成部２１４は、予め用意された複数の施設アイコンの中から該当する施設アイコンを選択するものであってもよいし、施設データに含まれる施設の画像データを利用するものであってもよいし、それ以外にも、施設データに関連付けされた施設アイコンをインターネット上の配信サイトから取得するものであってもよい。
【００２８】
吹き出し表記作成部２１６は、表示された施設アイコンがユーザー入力によって選択されたとき、当該施設の詳細情報を表した吹き出し表記を作成する。施設の詳細情報は、施設データ抽出部２０４によって保持された施設データから抽出され、例えば、施設の住所、電話番号、口コミなどの情報である。また、別の好ましい態様では、吹き出し表記作成部２１６は、メニュータイプの吹き出しを表記し、メニューからさらに詳細な情報や処理を選択するようにしてもよい。なお、吹き出し表記作成部２１４は、必ずしも必須ではなく、任意なものであってもよい。
【００２９】
ユーザー入力判定部２１８は、検索結果画面上に表示されたアイコン、施設アイコン、その他のボタンへのユーザー入力を判定し、その判定結果を検索結果画面制御部２２０や制御部１１８へ提供する。検索結果画面制御部２２０は、作成されたアイコン、施設アイコンなどを道路地図データ上に合成して表示したり、ユーザー入力に基づき道路地図の縮尺を変更したり、あるいは道路地図画面とリスト画面間の表示の切替を制御したり、種々の表示制御を行う。
【００３０】
次に、本実施例のナビゲーション装置における施設検索動作を、図５のフローチャートを参照しながら説明する。ここでは、自車の周辺施設検索が行われるものとする。まず、メニュー画面などから周辺施設検索を行う指示がユーザーから入力されると、施設検索プログラム２００が実行され、周辺施設検索が開始される（Ｓ１０１）。周辺施設検索では、自車位置を基準にそこから一定の範囲内に存在する施設が検索対象となる。もし、ユーザーがカテゴリーやその他の条件による絞り込み検索を指示した場合には、その条件に合致する施設が検索される。施設が検索されると、上記したように、施設データ抽出部２０４により検索された施設の施設データが抽出、保持され、次いで、施設件数算出部２０４および縮尺対応件数算出部２０８により検索された施設件数の算出が行われる。
【００３１】
次に、検索結果画面制御部２２０は、表示部１１０によって表示されている道路地図画面上に、アイコン作成部２１０によって作成された、施設検索結果を示すアイコンを表示させる。この様子を図６（Ａ）に示す。道路地図画面３００には、自車位置周辺の道路地図が表示される。当初の地図の縮尺は、ユーザーが周辺施設検索を実行する前に表示していた縮尺と同じであるか、あるいは、予めユーザー設定された縮尺で道路地図が表示されるようにしてもよい。道路地図画面３００には、４つの検索結果を示すアイコン３１０、３１２、３１４、３１６が表示される。各アイコンには、縮尺と、当該縮尺に対応する施設件数が表されている。例えば、アイコン３１０は、縮尺として「１００ｍ」、縮尺１００ｍのときに表示可能な、または縮尺１００ｍの領域に含まれる施設件数として「５件」が表されている。隣のアイコン３１２は、縮尺「２００ｍ」、施設件数「１４件」が示されている。ここでは、一例として４つのアイコンを表示しているが、表示するアイコンの数はいくつであってもよい。
【００３２】
選択されたアイコン３１０には、識別表示３２０（図中、ハッチングで示す）が付加される。当初の道路地図画面では、その縮尺に対応するアイコンに識別表示が付加されることになる。従って、ユーザーは、識別表示３２０によって、道路地図画面３００の縮尺を容易に認識することができる。アイコン３１０〜３１６の両側には、ここに表示されていない他の縮尺を表したアイコンを表示させるためのスクロールキー３３０が表示されている。例えば、縮尺１００ｍよりも小さい縮尺のアイコン、あるいは縮尺８００ｍよりも大きい縮尺のアイコンを表示させたい場合には、スクロールキー３３０を選択する。道路地図画面３００上には、選択されたアイコンの縮尺の道路地図データが表示され、その上に施設アイコン３４０（図中、矩形で示す）が表示されている。図の例では、アイコン３１０が選択されているため、道路地図データの縮尺は１００ｍであり、５件の施設アイコン３４０が表示されている。道路地図画面３００の下方には、リスト画面への切替を指示するためのリストボタン３５０が表示される。
【００３３】
道路地図画面３００に表示されたアイコン３１０〜３１６、スクロールキー３３０、施設アイコン３４０、リストボタン３５０は、いずれもユーザー入力が可能な構成であり、好ましくはユーザーが画面をタッチすることで、ナビゲーション装置に入力を与えることができる。選択されていない、他のいずれかのアイコン３１２〜３１６がユーザーによって選択されると（Ｓ１０３）、検索結果画面制御部２２０は、道路地図画面を選択された縮尺の道路地図データに変更する（Ｓ１０４）。例えば、アイコン３１２がユーザーによって選択されると、道路地図画面３００は、図７（Ａ）のように変更される。すなわち、道路地図データの縮尺は２００ｍとなり、その道路地図データ上に、１４件の施設アイコン３４０が表示される。同様に、アイコン３１４が選択されれば、検索結果画面制御部２２０は、道路地図データの縮尺を４００ｍに変更し、かつそれに対応する３０件の施設アイコン３４０を道路地図データ上に表示し、アイコン３１６が選択されれば、８００ｍの縮尺の道路地図データ上に４５件の施設アイコン３４０を表示する。このように、縮尺と縮尺に対応する施設件数を表したアイコン３１０〜３１６を表示することで、ユーザーは、自車位置からどれくらい離れたエリアにどの程度の数の施設があるのかを容易に認識することができる。また、施設アイコン３４０の表示によって、施設が密集して存在するエリア、または密集していないエリアを容易に認識することができる。
【００３４】
道路地図画面３００上のリストボタン３５０がユーザーによって選択されると（Ｓ１０５）、道路地図画面３００はリスト画面３６０に切り替わる（Ｓ１０６）。例えば図６（Ａ）の道路地図画面３００において、リストボタン３５０が選択されると、図６（Ｂ）に示すようなリスト画面３６０に変更される。リスト画面３６０は、道路地図画面３００の縮尺に対応した施設件数を表示することに留意すべきである。つまり、道路地図画面３００の縮尺が１００ｍを選択されていれば、それに対応して、５件の施設の名称が表示されたリスト画面となる。リスト画面３６０には、例えば、自車位置からの距離が近い順に施設の名称、およびその距離がリスト状に表示され、画面に表示しきれない施設は、スクロールキー３７０によりスクロール表示される。リスト画面３６０において、所望の施設を選択することが可能であり、対応するボックス３８０を選択すると、その選択された施設を含む周辺地図３８２がリスト画面内に表示される。図の例では、最も近い施設「○○マート」が選択された状態を示しており、周辺地図３８２には、選択された施設の周辺地図が表示されている。リスト画面３６０のバックボタン３９０が選択されると、図６（Ａ）の道路地図画面に表示が切り替わる。図７（Ｂ）は、図７（Ａ）の道路地図画面３００から切り替えられたリスト画面３６０を示している。この場合には、リスト画面３６０には、縮尺が２００ｍのときの施設件数１４件の施設の名称等がリスト状に表示される。このように、リスト画面には、選択された縮尺に含まれる施設のみが対象に表示されることになるため、ユーザーは、自車位置から施設までの距離を理解したうえで、その中から好みに合致した施設を容易に選択することができる。なお、選択された施設は、目的地または経由地に設定することができる。
【００３５】
次に、本発明の第２の実施例について図８のフローチャートを参照して説明する。第２の実施例は、施設アイコンが選択されたときの動作に関する。第１の実施例のときと同様に、図６（Ａ）または図７（Ａ）に示すように、施設検索結果を示すアイコン３１０〜３１６、および施設アイコン３４０が道路地図画面３００に表示される（Ｓ２０１）。ユーザー入力判定部２１８は、施設アイコン３４０のいずれかがユーザーによって選択されたか否かを監視する（Ｓ２０２）。施設アイコン３４０が選択された場合、ユーザー入力判定部２１８は、その選択が長押しか否か、すなわち、ユーザーのタッチ時間がしきい値Ｔｈよりも大きいか否かを判定する（Ｓ２０３）。しきい値Ｔｈよりも大きい場合には、長押しと判定し、その判定結果に基づき制御部１１８は、選択された施設を目的地に設定する（Ｓ２０４）。一方、タッチ時間がしきい値Ｔｈ以下である場合には、その判定結果を受けて、吹き出し表記作成部２１６は、選択された施設に対応する施設データを施設データ抽出部２０４から読出し、この施設データに基づき吹き出し表記を作成し（Ｓ２０６）、検索結果画面制御部２２０は、作成された吹き出し表記を、選択された施設アイコン近傍に表示させる（Ｓ２０７）。
【００３６】
図９は、吹き出し表記の表示例である。道路地図画面３００上の施設アイコン３４０Ａが選択され、そこに吹き出し表記４００が表示される。吹き出し表記４００には、リスト画面で表示される内容が示されている。このため、ユーザーはリスト画面への切替を行うことなく施設の詳細を知ることができる。但し、吹き出し表記４００の内容は、適宜選択することが可能である。また、吹き出し表記４００の表示面積が大きい場合には、吹き出し表記によって道路地図の隠される面積が大きくなるので、吹き出し表記４００を半透明状態で表示するようにしてもよい。上記の例では、道路地図画面３００において吹き出し表記４００を表示する例を示したが、リスト画面３６０内の周辺地図３８２（図６（Ｂ）を参照）内の施設アイコンが選択された場合にも吹き出し表記を表示するようにしてもよい。この場合は、更に詳細な情報として、施設の電話番号、住所、口コミ等の評判、外観写真などを表示することが望ましい。
【００３７】
次に、本発明の第３の実施例について図１０のフローを参照して説明する。第３の実施例は、吹き出し表記としてメニューを表示し、そこから次に処理する動作を選択可能にするものである。図１０において、ステップＳ３０１、Ｓ３０２は、第２の実施例のときと同様である。次に、吹き出し表記作成部２１６は、選択された施設アイコンに関する吹き出し表記としてのメニューを作成し、このメニューが検索結果画面制御部２２０によって表示される（Ｓ３０３）。図１１は、施設アイコン３４０Ａが選択されたときのメニュー４１０の一例である。メニュー４１０には、次に処理する内容が記載されており、ここでは、施設を目的地に設定するための「目的地設定」、施設に電話するための「電話をする」、施設の詳細な情報を表示するための「プロパティ」の項目が含まれている。次に、メニューからいずれかの項目が選択されると、制御部１１８は、選択された項目の処理を実行する（Ｓ３０４）。このように選択された施設に関連してメニューを表示することで、ユーザー操作を簡易にすることができる。
【００３８】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００３９】
１００：ナビゲーション装置            １０２：位置情報取得部
１０４：交通情報取得部                １０６：ユーザー入力部
１０８：データ通信部                  １１０：表示部
１１２：音声出力部                    １１４：記憶部
１１６：外部インターフェース          １１８：制御部
１２０：ネットワーク                  １３０〜１３４：配信サイト
１３６：衛星                          ２００：施設検索プログラム
２０２：施設検索部                    ２０４：施設データ抽出部
２０６：施設件数算出部                ２０８：縮尺対応件数算出部
２１０：アイコン作成部                ２１２：リスト画面作成部
２１４：施設アイコン作成部            ２１６：吹き出し表記作成部
２１８：ユーザー入力判定部            ２２０：検索結果画面制御部
３００：道路地図画面                  ３１０〜３１６：アイコン
３２０：識別表示                      ３４０：施設アイコン
３５０：リストボタン                  ３６０：リスト画面
【図１】
2014032013.tif 000003
【図２】
2014032013.tif 000004
【図３】
2014032013.tif 000005
【図４】
2014032013.tif 000006
【図５】
2014032013.tif 000007
【図６】
2014032013.tif 000008
【図７】
2014032013.tif 000009
【図８】
2014032013.tif 000010
【図９】
2014032013.tif 000011
【図１０】
2014032013.tif 000012
【図１１】
2014032013.tif 000013